(57)【要約】【課題】外力が加わったときに破断しにくい貼付剤用支持体又はこれを用いた貼付剤を提供する。【解決手段】本開示の一態様は、貼付剤用支持体であって、文字形成凹部を備える。文字形成凹部は、貼付剤用支持体の一方の面に形成され、所定の文字を形成する凹部である。文字形成凹部は、文字の筆運びの方向に沿って互いに離間した複数の凹部である複数の要素凹片によって構成されている。【選択図】図７
2019013322.tif 000002
【特許請求の範囲】
【請求項１】
貼付剤用支持体であって、
前記貼付剤用支持体の一方の面に形成され、所定の文字を形成する凹部である文字形成凹部を備え、
前記文字形成凹部は、前記文字の筆運びの方向に沿って互いに離間した複数の凹部である複数の要素凹片によって構成されている、貼付剤用支持体。
【請求項２】
請求項１に記載の貼付剤用支持体であって、
前記複数の要素凹片のそれぞれは、前記貼付剤用支持体の平面視において形状及び大きさが互いに同一である、貼付剤用支持体。
【請求項３】
請求項１又は請求項２に記載の貼付剤用支持体であって、
前記複数の要素凹片のそれぞれは、前記筆運びの方向に沿って等間隔に離間して形成されている、貼付剤用支持体。
【請求項４】
請求項１から請求項３までのいずれか１項に記載の貼付剤用支持体であって、
前記複数の要素凹片のそれぞれは、前記貼付剤用支持体の平面視において長手方向を有する形状であり、前記平面視において前記複数の要素凹片のそれぞれの前記長手方向が共通の一の方向に平行である、貼付剤用支持体。
【請求項５】
請求項４に記載の貼付剤用支持体であって、
前記一の方向は、前記複数の要素凹片のそれぞれの前記長手方向が前記筆運びの方向に対して傾くような方向である、貼付剤用支持体。
【請求項６】
請求項１から請求項３までのいずれか１項に記載の貼付剤用支持体であって、
前記複数の要素凹片のそれぞれは、前記貼付剤用支持体の平面視において長手方向を有する形状であり、前記平面視において前記複数の要素凹片のそれぞれの前記長手方向が前記筆運びの方向に沿うように形成されている、貼付剤用支持体。
【請求項７】
請求項１から請求項６までのいずれか１項に記載の貼付剤用支持体であって、
前記複数の要素凹片のそれぞれは、前記貼付剤用支持体の平面視において直線状である、貼付剤用支持体。
【請求項８】
請求項１から請求項６までのいずれか１項に記載の貼付剤用支持体であって、
前記複数の要素凹片のそれぞれは、前記貼付剤用支持体の平面視においてドット状である、貼付剤用支持体。
【請求項９】
請求項１から請求項８までのいずれか１項に記載の貼付剤用支持体と、
前記貼付剤用支持体における前記一方の面と反対側の面上に配置され、製剤成分を持つ粘着剤層と、
を備える貼付剤。
【請求項１０】
加工対象に凹部を形成するための加工ローラであって、
円筒状のローラ本体と、
前記ローラ本体の外周面に立設するように形成され、前記加工対象に所定の文字を表す凹部を形成するための凸部である文字形成凸部と、
を備え、
前記文字形成凸部は、前記文字の筆運びの方向に沿って互いに離間した複数の凸部である複数の要素凸片によって構成されている、加工ローラ。
【請求項１１】
請求項１０に記載の加工ローラであって、
前記複数の要素凸片のそれぞれは、前記加工ローラの正面視において長手方向を有する形状であり、
前記正面視において前記複数の要素凸片のそれぞれの前記長手方向が共通の一の方向に沿うように形成されており、
前記共通の一の方向が前記正面視において前記ローラ本体の軸方向と直交する方向である、加工ローラ。
【請求項１２】
凹部が形成された貼付剤用支持体の製造方法であって、
前記貼付剤用支持体の一方の面に所定の文字を表す凹部を形成するための凸部である文字形成凸部がローラ本体の外周面に立設するように形成された加工ローラであって、前記文字形成凸部は、前記文字の筆運びの方向に沿って互いに離間した複数の凸部である複数の要素凸片によって構成されている前記加工ローラの前記文字形成凸部を、前記貼付剤用支持体の前記一方の面に押圧することと、
前記文字形成凸部が前記貼付剤用支持体に押圧された状態において、工具ホーンにより前記貼付剤用支持体に振動を加え、前記貼付剤用支持体における前記文字形成凸部との接触面近傍の部分に前記振動による摩擦熱を発生させ、前記文字形成凸部に対応した凹部を前記貼付剤用支持体に形成することと、
を備える支持体の製造方法。
【発明の詳細な説明】
【技術分野】
【０００１】
本開示は、貼付剤用支持体、貼付剤、加工ローラ及び貼付剤用支持体の製造方法に関する。
【背景技術】
【０００２】
近年においては、消炎鎮痛薬、気管支拡張薬、心疾患治療薬、骨粗鬆症治療薬、癌疼痛治療薬、局所麻酔薬等の種々の治療分野において貼付剤が使用されている。
特許文献１には、貼付剤に適用されている薬剤等を視認できるようにするため、適用中の薬剤の名称等を表す凹部を貼付剤の支持体の表面に形成することにより該薬剤等を視認可能とした貼付剤が開示されている。この種の貼付剤は、患部に貼られるときは一般に引き延ばして貼られる。
【先行技術文献】
【特許文献】
【０００３】
【特許文献１】特開２００７−１５１９１６号公報
【発明の概要】
【発明が解決しようとする課題】
【０００４】
特許文献１の貼付剤では、貼付剤が患部に貼られるときなど貼付剤に外力が加えられたとき、支持体に形成された凹部の一部が裂ける場合がある。そして、裂けた一部を起点として凹部における該一部に連続する他の箇所も裂け、貼付剤が破断することがある。
【０００５】
本開示の一局面は、外力が加わったときに破断しにくい貼付剤用支持体又はこれを用いた貼付剤を提供することを目的としている。
【課題を解決するための手段】
【０００６】
本開示の一態様は、貼付剤用支持体であって、文字形成凹部を備える。文字形成凹部は、貼付剤用支持体の一方の面に形成され、所定の文字を形成する凹部である。文字形成凹部は、文字の筆運びの方向に沿って互いに離間した複数の凹部である複数の要素凹片によって構成されている。
【０００７】
このような構成によれば、隣接する要素凹片の間に要素凹片よりも厚みが大きい部分が位置する。よって、貼付剤用支持体に外力が加わり、仮に複数の要素凹片のうちの１つが裂けたとしても、隣接する要素凹片が裂けにくい。したがって、文字の筆運びの方向に沿って凹部が断続的に形成されている場合と比較して、外力が加わったときに貼付剤用支持体又はこれを用いた貼付剤を破断しにくくすることができる。
【０００８】
本開示の一態様は、複数の要素凹片のそれぞれが、貼付剤用支持体の平面視において形状及び大きさが互いに同一であってもよい。なお、ここでいう「同一」とは、厳密な意味での同一に限るものではなく、目的とする効果を奏するのであれば厳密に同一でなくてもよい。
【０００９】
このような構成によれば、例えば複数の要素凹片の形状及び大きさがバラバラである場合と比較して、文字形成凹部の表す文字の識字性を向上させることができる。
本開示の一態様は、複数の要素凹片のそれぞれが、筆運びの方向に沿って等間隔に離間して形成されていてもよい。なお、ここでいう「等間隔」とは、厳密な意味での等間隔に限るものではなく、目的とする効果を奏するのであれば厳密に等間隔でなくてもよい。
【００１０】
このような構成によれば、隣接する要素凹片の間隔が一定に保たれる。このため、隣接する要素凹片の間隔が一定でない（バラバラである）場合と比較して、隣接する要素凹片の端部同士が連続することを抑制できる。ひいては、１つの要素凹片が裂けたときに他の要素凹片が裂けやすくなることを抑制できる。
【００１１】
本開示の一態様は、複数の要素凹片のそれぞれが、貼付剤用支持体の平面視において長手方向を有する形状であり、平面視において複数の要素凹片のそれぞれの長手方向が共通の一の方向に平行であってもよい。なお、ここでいう「平行」とは、厳密な意味での平行に限るものではなく、目的とする効果を奏するのであれば厳密に平行でなくてもよい。
【００１２】
このような構成によれば、複数の要素凹片のそれぞれの長手方向が共通の一の方向に平行である構成でない（例えば長手方向の向きがバラバラである）場合と比較して、文字形成凹部の表す文字の識字性を向上させることができる。
【００１３】
本開示の一態様は、上記一の方向が、複数の要素凹片のそれぞれの長手方向が筆運びの方向に対して傾くような方向であってもよい。
このような構成によれば、複数の要素凹片のそれぞれの長手方向が文字の筆運びの方向に沿っているような場合と比較して、隣接する要素凹片の端部同士が連続することを抑制できる。ひいては、１つの要素凹片が裂けたときに他の要素凹片が裂けやすくなることを抑制できる。
【００１４】
本開示の一態様は、複数の要素凹片のそれぞれが、貼付剤用支持体の平面視において長手方向を有する形状であり、平面視において複数の要素凹片のそれぞれの長手方向が筆運びの方向に沿うように形成されていてもよい。
【００１５】
このような構成によれば、要素凹片の長手方向及び長手方向に直交する幅方向の長さを調節することにより、文字形成凹部の表す文字の識字性を向上させることができる。
本開示の一態様は、複数の要素凹片のそれぞれが、貼付剤用支持体の平面視において直線状であってもよい。また、本開示の一態様は、複数の要素凹片のそれぞれが、貼付剤用支持体の平面視においてドット状であってもよい。
【００１６】
これらの構成によれば、複数の要素凹片のそれぞれが複雑な形状である場合と比較して、要素凹片の形状がシンプルであるため、文字形成凹部の表す文字の識字性を向上させることができる。
【００１７】
本開示の別の態様は、貼付剤であって、上記貼付剤用支持体と、粘着剤層と、を備える。粘着剤層は、貼付剤用支持体における一方の面と反対側の面上に配置され、製剤成分を持つ。
【００１８】
このような構成によれば、文字の筆運びの方向に沿って凹部が断続的に形成されている場合と比較して、外力が加わったときに貼付剤を破断しにくくすることができる。
本開示の別の態様は、加工対象に凹部を形成するための加工ローラであって、ローラ本体と、文字形成凸部と、を備える。ローラ本体は、円筒状である。文字形成凸部は、ローラ本体の外周面に立設するように形成され、加工対象に所定の文字を表す凹部を形成するための凸部である。文字形成凸部は、文字の筆運びの方向に沿って互いに離間した複数の凸部である複数の要素凸片によって構成されている。
【００１９】
このような構成によれば、該加工ローラで加工対象に凹部を形成した際に、加工対象には、凹部により所定の文字が形成される。また、該文字は、筆運びの方向に沿って互いに離間した複数の凹部である複数の要素凹片によって構成される。よって、文字の筆運びの方向に沿って凸部が断続的に形成されている場合と比較して、外力が加わったときに破断しにくい貼付剤用支持体又はこれを用いた貼付剤を提供できる。
【００２０】
本開示の一態様は、以下の構成であってもよい。すなわち、複数の要素凸片のそれぞれが、加工ローラの正面視において長手方向を有する形状であり、正面視において複数の要素凸片のそれぞれの長手方向が共通の一の方向に沿うように形成されており、共通の一の方向が正面視においてローラ本体の軸方向と直交する方向である。なお、ここでいう「直交」とは、厳密な意味での直交に限るものではなく、目的とする効果を奏するのであれば厳密に直交でなくてもよい。
【００２１】
このような構成によれば、複数の要素凸片のそれぞれの長手方向が加工ローラの回転方向と一致する。よって、加工対象に凹部を形成する際の加工性を向上させることができる。
本開示の別の態様は、凹部が形成された貼付剤用支持体の製造方法である。当該製造方法は、加工ローラの文字形成凸部を、貼付剤用支持体の一方の面に押圧することを備える。加工ローラは、貼付剤用支持体の一方の面に所定の文字を表す凹部を形成するための凸部である文字形成凸部がローラ本体の外周面に立設するように形成された加工ローラである。文字形成凸部は、文字の筆運びの方向に沿って互いに離間した複数の凸部である複数の要素凸片によって構成されている。
【００２２】
また、当該製造方法は、文字形成凸部が貼付剤用支持体に押圧された状態において、工具ホーンにより貼付剤用支持体に振動を加え、貼付剤用支持体における文字形成凸部との接触面近傍の部分に振動による摩擦熱を発生させ、文字形成凸部に対応した凹部を貼付剤用支持体に形成することを備える。
【００２３】
このような製造方法によれば、振動による摩擦熱により貼付剤用支持体に所定の文字が形成される。また、該文字は、筆運びの方向に沿って互いに離間した複数の凹部である複数の要素凹片によって構成される。よって、文字の筆運びの方向に沿って凹部が断続的に形成されている場合と比較して、外力が加わったときに破断しにくい貼付剤用支持体又はこれを用いた貼付剤を提供できる。
【図面の簡単な説明】
【００２４】
【図１】図１Ａは超音波溶着機の側面図、図１Ｂは超音波溶着機の正面図である。
【図２】加工ローラに形成される凸部のパターンを示す図（１）である。
【図３】貼付剤の側面図である。
【図４】加工ローラに形成される凸部のパターンを示す図（２）である。
【図５】加工ローラに形成される凸部のパターンを示す図（３）である。
【図６】凹部が形成された後の貼付剤の平面図である。
【図７】貼付剤に形成される凹部のパターンを示す図（１）である。
【図８】貼付剤に形成される凹部のパターンを示す図（２）である。
【発明を実施するための形態】
【００２５】
以下、図面を参照しながら、本開示を実施するための形態を説明する。
［１．構成］
＜超音波溶着機＞
図１Ａ及び図１Ｂに示す超音波溶着機１は、加圧部２と、超音波振動部３と、を備える。加圧部２と超音波振動部３とは、台４を挟んで対向配置されている。加圧部２が台４に対して上方、超音波振動部３が台４に対して下方に配置されている。超音波溶着機１は、台４に載置された加工対象（本実施形態では貼付剤用支持体）に対して、超音波振動による摩擦熱を発生させ、所望の凹凸模様を形成するための装置である。
【００２６】
加圧部２は、加工ローラ２１と、支持部２２と、ローラ駆動モータ２３と、を備える。
加工ローラ２１は、図２Ａ及び図２Ｂに示すように、ローラ本体２１１と、凸部２１２と、を有している。図２Ａは加工ローラ２１の正面図、図２Ｂは加工ローラ２１の斜視図である。加工ローラ２１は、金属製である。加工ローラ２１に用いられる金属素材としては例えば、鋼、鋳鉄、銅、アルミ合金、ステンレススチール等が挙げられる。
【００２７】
ローラ本体２１１は、円筒状であり、軸方向両端の面の中央部から軸部２１１ａが突出形成されている。
凸部２１２は、ローラ本体２１１の外周面（円筒の側面）に立設するように形成されている。凸部２１２の形状等については後述する。
【００２８】
図１Ａ及び図１Ｂに示す支持部２２は、台４の表面から上方に伸張してから横方向に屈曲し、横方向に所定長延在してから下方に屈曲した略Ｕ字状のアームである。支持部２２は、その先端にて加工ローラ２１の軸部２１１ａを軸支する。これにより、加工ローラ２１が支持部２２により回動可能に支持される。なお、図１Ｂでは、支持部２２の台４の表面から上方に伸張した部分は図示を省略している。
【００２９】
また、支持部２２には、ローラ昇降レバー２２１が設けられている。操作者はローラ昇降レバー２２１を操作することで、台４に対する加工ローラ２１の高さ（すなわち、加工対象と加工ローラ２１との距離）を調節する。
【００３０】
ローラ駆動モータ２３は、加工ローラ２１を回転させるためのモータである。ローラ駆動モータ２３は、支持部２２に内蔵される。
一方、超音波振動部３は、加工対象に対して振動を加えるための装置である。超音波振動部３は、工具ホーン３１と、超音波発振機３２と、を備える。
【００３１】
工具ホーン３１は、超音波発振機３２に取り付けられ、超音波発振機３２により振動される。工具ホーン３１は加工対象に接触し、工具ホーン３１が振動することで加工対象が振動する。
【００３２】
超音波発振機３２は、工具ホーン駆動モータ３２１を備え、工具ホーン駆動モータ３２１により工具ホーン３１を振動させる。超音波発振機３２は、例えば２０ｋＨｚ程度の超音波振動を印加できる。
【００３３】
本実施形態では、工具ホーン３１と加工ローラ２１の凸部２１２との間に加工対象が配置され、回転した加工ローラ２１の凸部２１２が加工対象に押圧される。工具ホーン３１は一定周期で振動し、該振動が加工対象に伝達されることで、加工対象が振動する。そして、加工対象に加工ローラ２１の凸部２１２が圧接された状態において、加工対象が振動することによって、加工対象における加工ローラ２１の凸部２１２との接触面で超音波振動に伴う摩擦熱が発生し、接触面近傍の部分が溶着される。その結果、加工対象における加工ローラ２１の凸部２１２によって圧接される部分には凸部２１２に応じた凹部が形成され、圧接されない部分は元の状態に保たれる。このようにして加工ローラ２１の凸部２１２の形状に応じた凹凸模様が加工対象に形成される。
＜貼付剤の組成＞
図３に示す本実施形態の貼付剤５は、厚みが３００〜１５００μｍのシートであって繊維からなるシートである支持体層５１と、支持体層５１の一方の面に配置され、製剤成分を持つ粘着剤層５２と、を備える。後述するように、支持体層５１として用いられる貼付剤用支持体に超音波溶着機１により凹部を形成し、凹部が形成された貼付剤用支持体に粘着剤層５２を積層することで、貼付剤５が製造される。本実施形態では、貼付剤５はプラスター剤（テープ剤）である。
【００３４】
支持体層５１の材料として用いられる布は、例えば、緯メリヤス編、経メリヤス編の編布のほか、経糸と緯糸を編成した織物、不織布、レースを包含する。
編布の目付としては、６０〜１５０ｇ／ｍ２の範囲が好ましい。目付が６０ｇ／ｍ２未満では、得られる貼付剤の自己支持性が不足するため貼付剤を貼付する際の操作が困難となるばかりか、粘着剤が裏じみしやすい傾向にある。また、目付が１５０ｇ／ｍ２を超えると、裏じみを防止する観点からは好ましいものの布帛の伸長性が低下する傾向にある。また、身体に貼付後、衣服との摩擦により剥がれやすくなってしまう傾向がある。
【００３５】
本実施形態では、支持体層５１として、厚みが約５００μｍ、目付が約１００ｇ／ｍ２の編布が使用される。
編布の繊維の主材質としては、例えば、ポリエチレンテレフタレート、ポリブチレンテレフタレート、ポリトリメチレンテレフタレート等のポリエステル、ナイロン、ポリアクリロニトリル、ポリプロピレン等のポリオレフィン、ビニロン等のポリビニルアルコール等の熱可塑性樹脂の１種を単独で又は２種以上を混合したものが挙げられる。このような編布の繊維の主材質としては、薬物をはじめとする粘着剤成分の保存安定性の観点からポリエステルが好ましい。また、編布には、主材質の繊維にレーヨン等のセルロース繊維や、綿等を加えることもできる。
【００３６】
また、編布の編成としては特に制限されないが、例えば、ポリエステル製マルチフィラメント糸を用いて、編地の密度をコース２０〜５０／インチ、ウェル２０〜５０／インチとする編成が挙げられる。また、このようなゴム編は丸編であっても横編、経編であってもよい。このようなゴム編の編布は縦横斜めといった全方向の伸縮性に優れたものとなる傾向にある。
【００３７】
本実施形態では、支持体層５１には、糸の太さが５６デシテックス（又は５０デニール）のポリエチレンテレフタレートを主材質とする繊維が使用される。
なお、支持体層５１の材料として織物を用いる場合、使用される織物は特に限定されず、例えば、平織り、綾織、朱子織等の基本組織が挙げられる。
【００３８】
一方、粘着剤層５２には、目的とする疾病治療又は予防のため、薬物を含有させることができる。このような薬物としては特に限定されないが、例えば、麻酔薬、鎮痛薬、解熱消炎鎮痛薬、ステロイドホルモン、興奮・覚醒薬、精神神経用薬、局所麻酔薬、骨格筋弛緩薬、自立自律神経用薬、抗アレルギー薬、抗ヒスタミン薬、強心薬、不整脈用薬、利尿薬、血圧降下薬、血管収縮薬、血管拡張薬、カルシウム拮抗薬、抗殺菌薬、寄生性皮膚疾患用薬、皮膚軟化薬、抗生物質、解毒薬、鎮咳きょ痰薬、鎮痒薬、催眠薬、喘息薬、ホルモン分泌促進薬、抗潰瘍薬、制癌薬、ビタミン類、コリン作動薬、アセチルコリンエステラーゼ阻害薬、卵胞ホルモン、黄体ホルモン、抗真菌薬、抗パーキンソン病薬、制吐薬、向精神薬、非ステロイド消炎鎮痛薬が挙げられる。また、このような薬物の配合量は特に限定されず、治療、予防の目的に応じて適宜配合させればよい。
【００３９】
粘着剤層５２においては、熱可塑性ゴムを含有させる場合に、実質的に水分を含有しないこと（保管時（患部に貼付していないとき）には粘着剤層全体に対して水分の含有量が１質量％以下程度）が好ましい。実質的に水分を含有しないことによって、結晶化を十分に防止できる傾向にある。
【００４０】
また、保存中の保護のために粘着剤層５２に図示しない離型ライナーを被覆積層することができる。離型ライナーは、貼付剤５を使用する際には剥離される。離型ライナーは、フィルム、紙状のもの、あるいはこれらを積層したもの等、特に限定されないが、フィルムが好ましい。
＜加工ローラの凸部の形状＞
次に、図２Ａ及び図２Ｂを用いて加工ローラ２１の凸部２１２の形状について説明する。凸部２１２は、貼付剤用支持体に所定の文字を表す凹部を形成するためのものである。本実施形態では、アルファベットの文字「Ａ」、「Ｅ」、「Ｑ」にそれぞれ対応した３つの文字形成凸部２１３〜２１５が凸部２１２として形成されている。なお、文字形成凸部２１３〜２１５は、ローラ本体２１１の軸方向に沿って一列に並んで形成されている。
【００４１】
文字形成凸部２１３〜２１５のそれぞれは、該文字形成凸部２１３〜２１５が形成する文字「Ａ」、「Ｅ」、「Ｑ」の筆運びの方向に沿って互いに離間した複数の凸部である複数の要素凸片２１３ａ〜２１５ａによって構成されている。つまり、貼付剤用支持体に形成される文字の筆運びの方向に沿って断続的に凸部が形成されているのではなく、凸部が途切れ途切れ形成されている。なお、「筆運びの方向」とは、その文字を書く際に筆先を動かす方向である。具体的には例えば、図７のパターン１（上から１番目のパターン。他のパターンも同様。）に示すように、文字「Ａ」の筆運びの方向は、矢印Ｌ１〜Ｌ３で示される方向である。文字「Ｅ」の筆運びの方向は、矢印Ｌ４〜Ｌ７で示される方向である。文字「Ｑ」の筆運びの方向は、矢印Ｌ８〜Ｌ９で示される方向である。
【００４２】
本実施形態では、図２Ａ及び図２Ｂに示すように、複数の要素凸片２１３ａ〜２１５ａはすべてが形状及び大きさが同一である。具体的には、複数の要素凸片２１３ａ〜２１５ａはすべて略直方体状の突起である。つまり、ローラ本体２１１の外周面に対向してローラ本体２１１を見たとき（つまり、図２Ａに示すローラ本体２１１の正面視において）、複数の要素凸片２１３ａ〜２１５ａは長手方向を有する形状、具体的には直線状である。ここで、ある要素凸片が「直線状である」とは、ローラ本体の正面視においてその要素凸片が直線又は直線に近似した線に沿って延在した形状であり、かつ、その要素凸片が延在する方向（長手方向）に直交する幅方向の長さが略一定である形状を意味する。
【００４３】
また、文字形成凸部２１３〜２１５のそれぞれについて、該文字形成凸部２１３〜２１５を構成する複数の要素凸片２１３ａ〜２１５ａは共通の一の方向に平行である。特に、本実施形態では、文字形成凸部２１３〜２１５のそれぞれの上記一の方向は、互いに同一方向である。つまり、複数の要素凸片２１３ａ〜２１５ａのそれぞれの長手方向はすべて互いに平行である。
【００４４】
本実施形態では、上記一の方向は、ローラ本体２１１の正面視において、ローラ本体２１１の軸方向及び該軸方向に直交する方向のいずれの方向に対しても傾いた方向である。詳細には、上記共通の一の方向はローラ本体２１１の軸方向に対して４５度の角度で傾いており、図２Ａにおいては複数の要素凸片２１３ａ〜２１５ａは左下から右上に亘って延在している。
【００４５】
また、上記一の方向は、例えば文字形成凸部２１３に着目すると、該文字形成凸部２１３を構成する複数の要素凸片２１３ａのそれぞれの長手方向が、該文字形成凸部２１３が形成する文字「Ａ」の筆運びの方向に対して傾くような方向である。ここでいう「筆運びの方向」は、その要素凸片２１３ａが位置している箇所における該文字形成凸部２１３の表す文字「Ａ」の筆運びの方向を意味する。文字形成凸部２１４，２１５についても同様である。また、複数の要素凸片２１３ａ〜２１５ａは、筆運びの方向に沿って要素凸片２１３ａ〜２１５ａが１つずつ等間隔で配置されている。
＜貼付剤用支持体の製造方法＞
次に、凹部が形成された貼付剤用支持体の製造方法について説明する。
【００４６】
前述のとおり、加工ローラ２１の凸部２１２と工具ホーン３１の先端とが狭い隙間を有するように、加工ローラ２１と工具ホーン３１とを対向させて配置する。そして、ローラ駆動モータ２３により加工ローラ２１が回転し、工具ホーン駆動モータ３２１により工具ホーン３１が振動している状態において、加工ローラ２１と工具ホーン３１との隙間に貼付剤用支持体を流し込む。本実施形態では、所定速度で所定方向（以下、流れ方向）に沿って貼付剤用支持体が流し込まれる。超音波溶着機１の平面視において、この流れ方向は、ローラ本体２１１の軸方向と直交する方向である。
【００４７】
そして、ローラ本体２１１の文字形成凸部２１３〜２１５が、貼付剤用支持体の一方の面に押圧される。そして、文字形成凸部２１３〜２１５が貼付剤用支持体に押圧された状態において、工具ホーン３１により貼付剤用支持体に振動を加える。そして、該貼付剤用支持体における文字形成凸部２１３〜２１５との接触面近傍の部分に振動による摩擦熱を発生させ、接触面近傍の部分を溶着させる。その結果、文字形成凸部２１３〜２１５に対応した凹部を貼付剤用支持体が形成される。なお、凹部が形成された貼付剤用支持体に粘着剤層５２が積層されることで、貼付剤５が製造される。
＜加工対象の凹部の形状＞
次に、上記の製造方法により製造される貼付剤５の凹部の形状について図６及び図７を用いて説明する。本実施形態の凹部の形状は図７のパターン１である。図７では、支持体層５１の粘着剤層５２が配置されていない他方の面に対向して該他方の面を見たとき（つまり、図６に示す貼付剤５の平面視において）、凹部を含む一部分をクローズアップし、示している。なお、貼付剤５の平面視と貼付剤用支持体の平面視とは同義である。また、図７では、凹部のパターンをわかりやすくするため、凹部を簡略化して示している。
【００４８】
貼付剤５の支持体層５１には、所定の文字を形成する凹部である複数（この例では６つ）の文字形成凹部４１３〜４１８が形成されている。文字形成凹部４１３，４１６は文字形成凸部２１３に対応するものであり、文字「Ａ」を視認可能に表す。また、文字形成凹部４１４，４１７は文字形成凸部２１４に対応するものであり、文字「Ｅ」を視認可能に表す。また、文字形成凹部４１５，４１８は文字形成凸部２１５に対応するものであり、文字「Ｑ」を視認可能に表す。なお、文字形成凹部４１３〜４１５又は文字形成凹部４１６〜４１８は、貼付剤５の平面視において横一列に並ぶように形成されている。
【００４９】
文字形成凹部４１３〜４１８のそれぞれは、該文字形成凹部４１３〜４１８が形成する文字「Ａ」、「Ｅ」、「Ｑ」の筆運びの方向に沿って互いに離間した複数の凹部である複数の要素凹片４１３ａ〜４１８ａによって構成されている。つまり、貼付剤５に形成される文字の筆運びの方向に沿って断続的に凹部が形成されているのではなく、凹部が途切れ途切れ形成されている。
【００５０】
本実施形態では、複数の要素凹片４１３ａ〜４１８ａのそれぞれは、貼付剤５の平面視において形状及び大きさが同一である。また、複数の要素凹片４１３ａ〜４１８ａの深さ、換言すれば、貼付剤５における要素凹片４１３ａ〜４１８ａが形成されている部分の厚みはすべて同一である。
【００５１】
複数の要素凹片４１３ａ〜４１８ａは、貼付剤５の平面視においてすべて長手方向を有する形状、具体的には直線状である。ここで、ある要素凹片が「直線状である」とは、貼付剤の平面視においてその要素凹片が直線又は直線に近似した線に沿って延在した形状であり、かつ、その要素凹片が延在する方向（長手方向）に直交する幅方向の長さが略一定である形状を意味する。
【００５２】
文字形成凹部４１３〜４１８のそれぞれについて、該文字形成凹部４１３〜４１８を構成する複数の要素凹片４１３ａ〜４１８ａは共通の一の方向に平行である。特に、本実施形態では、文字形成凹部４１３〜４１８のそれぞれの上記一の方向は、互いに同一方向である。つまり、複数の要素凹片４１３ａ〜４１８ａのそれぞれの長手方向はすべて互いに平行である。
【００５３】
本実施形態では、共通の一の方向は、図６に示す文字形成凹部の正面視において右下から左上に向かう方向である。ここでいう「文字形成凹部の正面視」とは、その文字形成凹部の表す文字が正しく視認できる見え方（文字が逆さまだったり傾いたりしていない見え方）を意味する。
【００５４】
また、この一の方向は、例えば文字形成凹部４１３に着目すると、該文字形成凹部４１３を構成する複数の要素凹片４１３ａのそれぞれの長手方向が、図６に示す該文字形成凹部４１３が形成する文字「Ａ」の筆運びの方向Ｌ１〜Ｌ３に対して傾くような方向である。また、筆運びの方向Ｌ１〜Ｌ３に沿って要素凹片４１３ａが１つずつ等間隔で配置されている。文字形成凹部４１４〜４１８についても同様である。
【００５５】
［２．効果］
以上詳述した実施形態によれば、以下の効果が得られる。
（１）本実施形態では、貼付剤５の支持体層５１は文字形成凹部４１３〜４１８を備え、該文字形成凹部４１３〜４１８は、文字の筆運びの方向に沿って互いに離間した複数の凹部である複数の要素凹片４１３ａ〜４１８ａによって構成されている。
【００５６】
したがって、例えば文字形成凹部４１３に着目すると、該文字形成凹部４１３における隣接する要素凹片４１３ａの間に要素凹片４１３ａよりも厚みが大きい部分が位置する。よって、貼付剤５に外力が加わり、仮に複数の要素凹片４１３ａのうちの１つが裂けたとしても、隣接する要素凹片４１３ａが裂けにくい。したがって、文字の筆運びの方向に沿って凹部が断続的に形成されている場合と比較して、外力が加わったときに貼付剤５を破断しにくくすることができる。
【００５７】
（２）本実施形態では、例えば文字形成凹部４１３に着目すると、該文字形成凹部４１３を構成する複数の要素凹片４１３ａのそれぞれは、貼付剤５の平面視において形状及び大きさが互いに同一である。
【００５８】
したがって、例えば複数の要素凹片４１３ａの形状及び大きさがバラバラである場合と比較して、文字形成凹部４１３の表す文字の識字性を向上させることができる。
（３）本実施形態では、例えば文字形成凹部４１３に着目すると、複数の要素凹片４１３ａのそれぞれが、筆運びの方向Ｌ１〜Ｌ３に沿って等間隔に離間して形成されている。
【００５９】
したがって、隣接する要素凹片４１３ａの間隔が一定に保たれる。このため、隣接する要素凹片４１３ａの間隔が一定でない（例えばバラバラである）場合と比較して、隣接する要素凹片４１３ａの端部同士が連続することを抑制できる。ひいては、１つの要素凹片４１３ａが裂けたときに他の要素凹片４１３ａが裂けやすくなることを抑制できる。
【００６０】
（４）本実施形態では、例えば文字形成凹部４１３に着目すると、貼付剤５の平面視において複数の要素凹片４１３ａのそれぞれの長手方向が共通の一の方向に平行である。
したがって、複数の要素凹片４１３ａのそれぞれの長手方向が共通の一の方向に沿わない（例えば長手方向の向きがバラバラである）場合と比較して、文字形成凹部４１３の表す文字の識字性を向上させることができる。
【００６１】
（５）本実施形態では、上記一の方向は、例えば文字形成凹部４１３に着目すると、複数の要素凹片４１３ａのそれぞれの長手方向が筆運びの方向Ｌ１〜Ｌ３に対して傾くような方向である。
【００６２】
したがって、複数の要素凹片４１３ａのそれぞれの長手方向が文字の筆運びの方向Ｌ１〜Ｌ３に沿っているような場合と比較して、隣接する要素凹片４１３ａの端部同士が連続することを抑制できる。ひいては、１つの要素凹片４１３ａが裂けたときに他の要素凹片４１３ａが裂けやすくなることを抑制できる。
【００６３】
（６）本実施形態では、複数の要素凹片４１３ａ〜４１８ａのそれぞれは、貼付剤５の平面視において直線状である。
したがって、複数の要素凹片のそれぞれが複雑な形状である場合と比較して、要素凹片４１３ａ〜４１８ａの形状がシンプルであるため、文字形成凹部４１３〜４１８の表す文字の識字性を向上させることができる。
【００６４】
また、貼付剤５に用いられる貼付剤用支持体に凹部を形成する加工時において、直線の長手方向に直交する幅方向の長さを変えることで溶着幅の調節が行われるため、要素凹片４１３ａ〜４１８ａの形状が直線状以外の形状である場合と比較して、溶着幅の調節を容易に行うことができる。
【００６５】
［３．他の実施形態］
以上、本開示を実施するための形態について説明したが、本開示は上述の実施形態に限定されることなく、種々変形して実施することができる。
【００６６】
（１）加工ローラの凸部は上記実施形態のものに限られない。
（１ａ）図２Ｃ及び図２Ｄに示すように、ローラ本体５３１の正面視において複数の要素凸片５３３ａ〜５３５ａのそれぞれの長手方向が共通の一の方向に沿うように形成されており、共通の一の方向が正面視においてローラ本体５３１の軸方向と直交する方向であってもよい。
【００６７】
このような構成によれば、複数の要素凸片５３３ａ〜５３５ａのそれぞれの長手方向がローラ本体５３１の回転方向と一致する。よって、加工対象に凹部を形成する際の加工性を向上させることができる。
【００６８】
（１ｂ）図４Ａに示すように、加工ローラ５４のローラ本体５４１の正面視において、複数の文字形成凸部５４３〜５４５がローラ本体５４１の軸方向及び軸方向に直交する方向のいずれの方向に対しても傾いた方向に一列に並んで形成されていてもよい。図４Ａ及び図４Ｂに示す例では、ローラ本体５４１の軸方向に対して略４５度の角度をなす方向に文字形成凸部５４３〜５４５が並んでいる。
【００６９】
このような構成によれば、複数の文字形成凸部がローラ本体の軸方向又は軸方向に直交する方向に平行な方向に一列に並んだ場合と比較して、距離を長く取れるため、沢山の文字形成凸部を形成でき、また、文字形成凸部の外形、つまり、文字形成凸部の表す文字の大きさを大きくすることができる。
【００７０】
（１ｃ）図４Ｃ及び図４Ｄに示すように、複数の文字形成凸部５５３〜５５５がローラ本体５５１の軸方向に直交する方向に平行な方向に一列に並ぶように形成されてもよい。また、図４Ｃ及び図４Ｄに示す例では、文字形成凸部５５３〜５５５の表す文字の向きがローラ本体５５１の軸方向を向いている。つまり、ローラ本体５５１の軸方向を上下方向としたときに文字が正しく視認できるように文字形成凸部５５３〜５５５が形成されている。
【００７１】
（１ｄ）図５Ａ及び図５Ｂに示すように、複数の要素凸片５６３ａ〜５６５ａの長手方向が文字形成凸部５６３〜５６５の表す文字の筆運びの方向に沿うように該複数の要素凸片５６３ａ〜５６５ａが形成されていてもよい。
【００７２】
（１ｅ）図５Ｃ及び図５Ｄに示すように、複数の要素凸片５７３ａ〜５７５ａは略円筒状の突起であってもよい。
（２）貼付剤用支持体に形成される凹部も上記実施形態のものに限られない。
【００７３】
（２ａ）図７のパターン２のように、複数の要素凹片４２３ａ〜４２５ａのそれぞれと平行な共通の一の方向が文字形成凹部４２３〜４２５の正面視において右下から左上に向かう方向であってもよい。また、パターン３のように、共通の一の方向が文字形成凹部４３３〜４３５の正面視において上下方向に平行であってもよい。さらに、パターン４のように、共通の一の方向が文字形成凹部４４３〜４４５の正面視において左右方向に平行であってもよい。なお、パターン２に示す凹部は、図４Ａ及び図４Ｂに示す加工ローラ５４によって形成され得る。また、パターン３に示す凹部は、図２Ｃ及び図２Ｄに示す加工ローラ５３によって形成され得る。また、パターン４に示す凹部は、図４Ｃ及び図４Ｄに示す加工ローラ５５によって形成され得る。
【００７４】
（２ｂ）パターン５のように、複数の要素凹片４５３ａ〜４５５ａの長手方向が文字形成凹部４５３〜４５５の表す文字の筆運びの方向に沿う（延在する）ように該複数の要素凹片４５３ａ〜４５５ａが形成されていてもよい。このパターン５では、文字形成凹部４５３〜４５５の表す文字における筆運びの方向が所定角度以上変化する箇所において、複数の要素凹片４５３ａ〜４５５ａが離間している。パターン５に示す凹部は、図５Ａ及び図５Ｂに示す加工ローラ５３によって形成され得る。
【００７５】
このような構成によれば、要素凹片４５３ａ〜４５５ａの長さや幅を調節することで、文字形成凹部４５３〜４５５の表す文字「Ａ」、「Ｅ」、「Ｑ」の識字性を向上させることができる。
【００７６】
（２ｃ）パターン６のように、文字の筆運びの方向に沿って要素凹片４６３ａ〜４６５ａの長手方向の向きが滑らかに変化してもよい。パターン６では、要素凹片４６３ａ〜４６５ａの長手方向は、筆運びの方向に対して略直交している。
【００７７】
このような構成によれば、要素凹片４６３ａ〜４６５ａの長手方向は、筆運びの方向に沿うような場合と比較して、隣接する要素凹片の端部同士が連続することを抑制できる。ひいては、１つの要素凹片が裂けたときに他の要素凹片が裂けやすくなることを抑制できる。
【００７８】
（２ｄ）パターン７やパターン８のように、複数の要素凹片４７３ａ〜４７５ａ，４８３ａ〜４８５ａのそれぞれが、貼付剤の平面視において略Ｌ字状であってもよい。
（２ｅ）パターン９やパターン１０のように、複数の要素凹片４９３ａ〜４９５ａ，６１３ａ〜６１５ａのそれぞれが、貼付剤の平面視においてドット状であってもよい。パターン９では、複数の要素凹片４９３ａ〜４９５ａは真円状のドットであり、パターン１０では、複数の要素凹片６１３ａ〜６１５ａは楕円状のドットである。パターン９に示す凹部は、図５Ｃ及び図５Ｄに示す加工ローラ５７によって形成され得る。
【００７９】
このような構成によれば、複数の要素凹片のそれぞれが複雑な形状である場合と比較して、要素凹片４９３ａ〜４９５ａ，６１３ａ〜６１５ａの形状がシンプルであるため、文字形成凹部４９３〜４９５，６１３〜６１５の表す文字の識字性を向上させることができる。また、ドットが楕円状よりも真円状である方が、隣接する要素凹片の端部同士が連続することを抑制できる。
【００８０】
（２ｆ）図８に示すパターン１１〜１４のように、貼付剤の平面視において、複数の要素凹片のそれぞれが共通の多角形の輪郭に沿って該輪郭を１周するように延在して形成されていてもよい。多角形の内部（輪郭に囲まれた部分）には凹部は形成されていない。
【００８１】
具体的には、パターン１１では、三角形の輪郭に沿って要素凹片６２３ａ〜６２５ａが延在して形成されている。パターン１２、１３では、四角形の輪郭に沿って要素凹片６３３ａ〜６３５ａが延在して形成されている。パターン１２では、文字形成凹部６３３〜６３５の正面視において要素凹片６３３ａ〜６３５ａのなす四角形が傾いていない。一方、パターン１３では、文字形成凹部６４３〜６４５の正面視において要素凹片６４３ａ〜６４５ａのなす四角形が共通の方向に傾いている。パターン１４では、星形の輪郭に沿って要素凹片６５３ａ〜６５５ａが形成されている。
【００８２】
（２ｇ）パターン１５のように、複数の要素凹片６６３ａ〜６６５ａのそれぞれが、貼付剤の平面視において略Ｕ字状、換言すれば、円弧に沿って延在するように形成されていてもよい。
【００８３】
（２ｈ）パターン１６〜１８のように、貼付剤の平面視において複数の要素凹片のそれぞれが複数の線分が同一点で交差する形状であってもよい。
具体的には、パターン１６、１７では、複数の要素凹片６７３ａ〜６７５ａ，６８３ａ〜６８５ａのそれぞれは、２本の線分が直交する形状、換言すれば、Ｘ字状である。パターン１２では、文字形成凹部６７３〜６７５の正面視においてＸ字を構成する２本の線分が斜めに延在するように傾いている。一方、パターン１３では、文字形成凹部６８３〜６８５の正面視においてＸ字を構成する２本の線分が上下又は左右方向と平行に延在している。パターン１８では、複数の要素凹片６９３ａ〜６９５ａのそれぞれは、３本の線分が同一点で交差する形状、換言すれば、アスタリスク状である。
【００８４】
（２ｉ）パターン１９のように、貼付剤の平面視において、複数の要素凹片７０３ａ〜７０５ａのそれぞれが略Ｓ字状であってもよい。
（３）上記実施形態では、貼付剤５に形成された複数の要素凹片４１３ａ〜４１８ａは文字の筆運びの方向に沿って等間隔で配置されているが、複数の要素凹片は等間隔で配置されていなくてもよい。ローラ本体に形成された要素凸片についても同様である。
【００８５】
（４）上記実施形態では、複数の要素凹片４１３ａ〜４１８ａはすべて形状及び大きさが同一であるが、複数の要素凹片の間の形状及び大きさの関係はこれに限られるものではない。例えば、複数の要素凹片の形状及び大きさの少なくとも一方が互いに相違していてもよい。ローラ本体に形成された要素凸片についても同様である。
【００８６】
（５）上記実施形態では、例えば文字形成凹部４１３に着目すると、該文字形成凹部４１３を構成するすべての要素凹片４１３ａの長手方向が共通の一の方向に平行である。しかし、複数の要素凹片の長手方向はこれに限られず、例えば、文字形成凹部を構成する大部分の要素凹片の長手方向が共通の一の方向に平行であるが、残りの要素凹片の長手方向が該一の方向と平行でなくてもよい。この場合も、文字形成凹部を構成するすべての要素凹片の長手方向が共通の一の方向に平行である場合と比較して、識字性等の観点から大差がないようであれば、本願でいう「複数の要素凹片のそれぞれの長手方向が共通の一の方向に平行である」に該当する。
【００８７】
同様に、複数の要素凹片の長手方向が平行な一の方向は、文字形成凹部を構成する大部分の要素凹片の長手方向が文字の筆運びの方向に対して傾くような方向であり、残りの要素凹片の長手方向が文字の筆運びの方向に対して傾かない、つまり筆運びの方向に沿う方向であってもよい。この場合も、すべての要素凹片の長手方向が筆運びの方向に対して傾いている場合と比較して、貼付剤の破断のしにくさ等の観点から大差がないようであれば、本願でいう「一の方向は、複数の要素凹片のそれぞれの長手方向が筆運びの方向に対して傾くような方向である」に該当する。
【００８８】
同様に、文字形成凹部を構成する大部分の要素凹片の長手方向が筆運びの方向に沿うように形成されているが、残りの要素凹片の長手方向が筆運びの方向に沿うように形成されていなくてもよい。この場合も、文字形成凹部を構成するすべての要素凹片の長手方向が文字の筆運びの方向に沿うように形成されている場合と比較して、識字性等の観点から大差がないようであれば、本願でいう「複数の要素凹片のそれぞれの長手方向が筆運びの方向に沿うように形成されている」に該当する。
【００８９】
なお、ローラ本体に形成された要素凸片についても同様である。
（６）上記実施形態では、貼付剤５には６つの文字形成凹部４１３〜４１８が形成されているが、貼付剤に形成される文字形成凹部の数はこれに限られるものではない。貼付剤５には、１つ又は６つ以外の複数の文字形成凹部が形成されていてもよい。加工ローラについても同様である。
【００９０】
（７）上記実施形態では、例えば文字形成凹部４１３〜４１５は、貼付剤５の平面視において横一列に並ぶように形成されているが、複数の文字形成凹部の並び方はこれに限られるものではない。複数の文字形成凹部は、例えば、貼付剤の平面視において斜めに並ぶように形成されていてもよい。
【００９１】
（８）貼付剤の構成は上記実施形態のものに限られない。例えば、上記実施形態では、粘着剤層５２は水分を実質的に含まないプラスター剤であるが、粘着剤層はこれに限られるものではない。粘着剤層は、例えば、水分の含有率が所定割合（例えば４０％）以上であってもよい。
【００９２】
（９）上記実施形態では、凹部が形成された貼付剤用支持体に粘着剤層５２を積層することで貼付剤５が製造される。しかし、製造方法はこれに限られるものではない。例えば、文字形成凹部が形成されていない貼付剤用支持体と粘着剤層５２とを積層して貼付剤を製造し、該貼付剤に超音波溶着機１により文字形成凹部を形成することで、凹部が形成された貼付剤５が製造されてもよい。
【００９３】
（１０）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００９４】
１…超音波溶着機、２…加圧部、３…超音波振動部、５…貼付剤、２１，５３〜５７…加工ローラ、３１…工具ホーン、３２…超音波発振機、５１…支持体層、５２…粘着剤層、２１１，５７１…ローラ本体、２１３〜２１５…文字形成凸部、２１３ａ〜２１３ｃ…要素凸片、４１３〜４１８，４２３〜４２５…７０３〜７０５…文字形成凹部、４１３ａ〜４１８ａ，４２３ａ〜４２５ａ…７０３ａ〜７０５ａ…要素凹片。
【図１】
2019013322.tif 000003
【図２】
2019013322.tif 000004
【図３】
2019013322.tif 000005
【図４】
2019013322.tif 000006
【図５】
2019013322.tif 000007
【図６】
2019013322.tif 000008
【図７】
2019013322.tif 000009
【図８】
2019013322.tif 000010